(57)【要約】      （修正有）【課題】片手で簡単確実に画鋲の取り付け作業が可能な画鋲取付具を提供する。【解決手段】片手Ｈで把持可能な画鋲取付具本体１０と、画鋲取付具本体１０の頂部１０ａに設けられている磁石と、を有し、磁石は、画鋲Ｇの頭部Ｇａを磁力によって支持してなる。そして、そのように画鋲取付具本体１０に設けられている磁石の磁力によって支持された状態の画鋲Ｇを壁や掲示板あるいは黒板等の所定箇所Ｋに向かって移動させれば、当該所定箇所Ｋに画鋲Ｇを固定することができる。【選択図】図４
0003196881.tif 000002
【実用新案登録請求の範囲】
【請求項１】
片手で把持可能な画鋲取付具本体と、
前記画鋲取付具本体の頂部に設けられている磁力体と、を有し、
前記磁力体は、画鋲の頭部を磁力によって支持してなる画鋲取付具。
【請求項２】
前記画鋲取付具本体内には、前記画鋲を収納可能な収納空間が設けられ、当該画鋲取付具本体には、該収納空間を開閉可能な蓋体が設けられてなる請求項１に記載の画鋲取付具。
【請求項３】
前記画鋲取付具本体には、前記磁力体の近傍に、所定箇所に固定されている画鋲を取り外し可能な取り外し部が設けられてなる請求項１又は２に記載の画鋲取付具。
【請求項４】
前記画鋲取付具本体には、当該画鋲取付具本体を片手で把持した際、指が滑らないようにする滑り止め部が設けられてなる請求項１〜３の何れか１項に記載の画鋲取付具。
【考案の詳細な説明】
【技術分野】
【０００１】
本考案は、画鋲を壁や掲示板あるいは黒板等の所定箇所に固定するための画鋲取付具に関する。
【背景技術】
【０００２】
一般的に、ポスターやカレンダー等の掲示物を壁や掲示板あるいは黒板等の所定箇所に固定する際、画鋲を用いて固定する方法が採用されている。このような画鋲は、円形の頭部と、その裏面中心に突設された針部とを備えたものであって、円形の頭部を指で押して、ポスターやカレンダー等の掲示物の上から壁や掲示板あるいは黒板等の所定箇所に針部を差し込むことで、当該掲示物を所定箇所に固定するようにしている。
【考案の概要】
【考案が解決しようとする課題】
【０００３】
しかしながら、ポスターやカレンダー等の掲示物を壁や掲示板あるいは黒板等の所定箇所に画鋲を用いて確実に固定するには、壁や掲示板あるいは黒板等の所定箇所に十分な深さまで針部を押し込まなければならない。それゆえ、かなりの力が必要となり、当該作業を女性等が行う場合、ポスターやカレンダー等の掲示物を壁や掲示板あるいは黒板等の所定箇所に画鋲を用いて確実に固定することができないという問題があった。
【０００４】
そこで、本考案は、このような問題に鑑み、片手で簡単確実に画鋲の取り付け作業が可能な画鋲取付具を提供することを目的としている。
【課題を解決するための手段】
【０００５】
上記本考案の目的は、以下の手段によって達成される。なお、括弧内は、後述する実施形態の参照符号を付したものであるが、本考案はこれに限定されるものではない。
【０００６】
請求項１の考案に係る画鋲取付具によれば、片手で把持可能な画鋲取付具本体（１０）と、
前記画鋲取付具本体（１０）の頂部（１０ａ）に設けられている磁力体（磁石１４）と、を有し、
前記磁力体（磁石１４）は、画鋲（Ｇ）の頭部（Ｇａ）を磁力によって支持してなることを特徴としている。
【０００７】
また、請求項２の考案に係る画鋲取付具によれば、上記請求項１に記載の画鋲取付具において、前記画鋲取付具本体（１０）内には、前記画鋲（Ｇ）を収納可能な収納空間（Ｓ）が設けられ、当該画鋲取付具本体（１０）には、該収納空間（Ｓ）を開閉可能な蓋体（蓋部１３）が設けられてなることを特徴としている。
【０００８】
さらに、請求項３の考案に係る画鋲取付具によれば、上記請求項１又は２に記載の画鋲取付具おいて、前記画鋲取付具本体（１０）には、前記磁力体（磁石１４）の近傍に、所定箇所（Ｋ）に固定されている画鋲（Ｇ）を取り外し可能な取り外し部（取り外し部材１５）が設けられてなることを特徴としている。
【０００９】
そして、請求項４の考案に係る画鋲取付具によれば、上記請求項１〜３の何れか１項に記載の画鋲取付具において、前記画鋲取付具本体（１０）には、当該画鋲取付具本体（１０）を片手（Ｈ）で把持した際、指（親指Ｈ１，人差し指Ｈ２）が滑らないようにする滑り止め部（突条部１０ｅ）が設けられてなることを特徴としている。
【考案の効果】
【００１０】
次に、本考案の効果について、図面の参照符号を付して説明する。なお、括弧内は、後述する実施形態の参照符号を付したものであるが、本考案はこれに限定されるものではない。
【００１１】
請求項１の考案によれば、画鋲（Ｇ）の頭部（Ｇａ）を画鋲取付具本体（１０）の頂部（１０ａ）に設けられている磁力対（磁石１４）によって支持させ、その状態の画鋲取付具本体（１０）を片手で把持し、壁や掲示板あるいは黒板等の所定箇所（Ｋ）に移動させるだけで、画鋲（Ｇ）の針部（Ｇｂ）が所定箇所（Ｋ）内に差しこまれることとなる。それゆえ、本考案によれば、片手で簡単確実に画鋲の取り付け作業が可能となる。
【００１２】
また、請求項２の考案によれば、画鋲取付具本体（１０）内の収納空間（Ｓ）に画鋲（Ｇ）を収納し、その収納空間（Ｓ）内に画鋲（Ｇ）を収納し、当該収納空間（Ｓ）を蓋体（蓋部１３）によって閉止すれば、画鋲（Ｇ）を収納し持ち運ぶことができる。また、蓋体（蓋部１３）によって収納空間（Ｓ）を開放すれば、画鋲（Ｇ）を取り出すことができるため、利便性が向上することとなる。
【００１３】
さらに、請求項３の考案によれば、画鋲取付具本体（１０）には、磁力体（磁石１４）の近傍に、所定箇所（Ｋ）に固定されている画鋲（Ｇ）を取り外し可能な取り外し部（取り外し部材１５）が設けられているから、取り外し部（取り外し部材１５）によって、画鋲（Ｇ）を取り外した後、取り外し部（取り外し部材１５）の近傍に設けられている磁力体（磁石１４）の磁力によって画鋲（Ｇ）が吸着されることとなるから、画鋲（Ｇ）が地面等に落下してしまう事態を低減させることができる。
【００１４】
そして、請求項４の考案によれば、画鋲取付具本体（１０）には、当該画鋲取付具本体（１０）を片手（Ｈ）で把持した際、指（親指Ｈ１，人差し指Ｈ２）が滑らないようにする滑り止め部（突条部１０ｅ）が設けられているから、所定箇所（Ｋ）に対して画鋲取付具本体（１０）を用いて画鋲（Ｇ）を差し込む際、又は、画鋲（Ｇ）を取り外す際、指（親指Ｈ１，人差し指Ｈ２）が滑らないようにすることができる。
【図面の簡単な説明】
【００１５】
【図１】本考案の一実施形態に係る画鋲取付具の斜視図である。
【図２】（ａ）は同実施形態に係る画鋲取付具の正面図、（ｂ）は（ａ）のＸ−Ｘ線断面図である。
【図３】同実施形態に係る画鋲取付具の縦断面図を示し、（ａ）は同実施形態に係る画鋲取付具本体の収納空間が蓋部によって閉止されている状態を示し、（ｂ）は同実施形態に係る画鋲取付具本体の収納空間が蓋部によって開放されている状態を示す図である。
【図４】同実施形態に係る画鋲取付具の一使用例を示す正面図を示し、（ａ）は同実施形態に係る画鋲取付具を用いて画鋲を所定箇所に差し込んで固定する説明図を示し、（ｂ−１）は同実施形態に係る画鋲取付具を用いて所定箇所に固定されている画鋲を取り外す説明図を示し、（ｂ−２）は同実施形態に係る画鋲取付具を用いて所定箇所に固定されている画鋲を取り外した説明図を示し、（ｂ−３）は、取り外した画鋲を同実施形態に係る磁石によって支持している状態を示した説明図である。
【考案を実施するための形態】
【００１６】
以下、本考案に係る画鋲取付具の一実施形態を、図１〜図４を参照して具体的に説明する。なお、以下の説明において、上下左右の方向を示す場合は、図示正面から見た場合の上下左右をいうものとする。
【００１７】
本実施形態に係る画鋲取付具１は、図１及び図２（ａ）に示すように、画鋲取付具本体１０を備えてなる。この画鋲取付具本体１０は、軟質の合成樹脂等で形成されると共に、内部は中空状に形成され、図１及び図２（ａ）に示すように、頂部１０ａが円筒状に形成され、底部１０ｂに向うにつれて末広がり状に傾斜し、底部１０ｂが円弧状に形成されている。このように形成される画鋲取付具本体１０は、半割状となっており、図１及び図２（ｂ）に示すように、一対の第１画鋲取付具本体１０Ａと第２画鋲取付具本体１０Ｂとを嵌合させることで構成されている。より詳しく説明すると、この第１画鋲取付具本体１０Ａと第２画鋲取付具本体１０Ｂとは、中空状に形成されており、図２（ａ）に示すように、複数の嵌合部材１１によって嵌合されている。この嵌合部材１１は、図２（ａ）及び図３に示すように、第１画鋲取付具本体１０Ａと第２画鋲取付具本体１０Ｂの一側周面１０ｃ及び他側周面１０ｄに沿うように所定間隔置きに複数（図示では５個）設けられている。そして、この嵌合部材１１は、図２（ｂ）に示すように、第１画鋲取付具本体１０Ａの長手方向内周壁面から一体的に図示右方向に向って突設されている円筒状のピン受け部１１ａと、第２画鋲取付具本体１０Ｂの長手方向内周壁面から一体的に図示左方向に向って突設されている棒状のピン部１１ｂとで構成され、このピン部１１ｂがピン受け部１１ａよりも若干径小に形成されていることから、ピン受け部１１ａにピン部１１ｂが挿入され嵌め合うことができ、もって、図１及び図２（ｂ）に示すように、一対の第１画鋲取付具本体１０Ａと第２画鋲取付具本体１０Ｂとが嵌合することとなる。これにより、図１及び図２（ａ）に示すように、画鋲取付具本体１０が構成され、もって、その画鋲取付具本体１０内に収納空間Ｓが形成されることとなる。
【００１８】
一方、図２（ａ）に示すように、画鋲取付具本体１０の底部１０ｂ側に位置する他側周面１０ｄには、回転部材１２が設けられており、この回転部材１２は、図２（ｂ）に示すように、軸部１２ａと回転部１２ｂとで構成されている。この軸部１２ａは、棒状に形成され、第１画鋲取付具本体１０Ａの長手方向内周壁面から一体的に幅方向（図示右方向）に向って突設されている。そして、第２画鋲取付具本体１０Ｂには、円筒状の軸受け部１２ａ１が長手方向内周壁面から一体的に幅方向（図示右方向）に向って突設されており、上記軸部１２ａが軸受け部１２ａ１よりも若干径小に形成されていることから、軸受け部１２ａ１に軸部１２ａが挿入され嵌め合うことができる。一方、回転部１２ｂは、図２（ｂ）に示すように、後述する蓋部１３に一体的に軸部１２ａと垂直となる方向に一対設けられ、軸部１２ａに回転可能に取り付けられている。
【００１９】
他方、画鋲取付具本体１０の底部１０ｂは、図３に示すように、円弧状（弓型）の蓋部１３となっており、この蓋部１３の一端部１３ａに回転部１２ｂが一体的に設けられており、この回転部１２ｂを基軸として、図３（ａ）に示す矢印Ｐ１方向及び図３（ｂ）に示す矢印Ｐ２方向に回動可能となっている。また、蓋部１３の他端部１３ｂには、図３（ａ）、特に図３（ｂ）に示すように、板バネ状に形成されている係合突起部１３ｂ１が一体的に突設されており、この係合突起部１３ｂ１が係合する係合凹部１０ｃ１が、図３（ａ）、特に図３（ｂ）に示すように、画鋲取付具本体１０の底部１０ｂ側に位置する一側周面１０ｃに設けられている。これにより、図３（ａ）に示すように、係合突起部１３ｂ１が係合凹部１０ｃ１に係合すれば、画鋲取付具本体１０内の収納空間Ｓが蓋部１３によって閉止されることとなる。一方、図３（ａ）に示すように、回転部材１２（回転部１２ｂ）を基軸として、矢印Ｐ１方向に蓋部１３を回動させれば、係合突起部１３ｂ１が板バネ状に形成されていることから、当該係合突起部１３ｂ１の弾発力によって係合突起部１３ｂ１と係合凹部１０ｃ１との係合が解放され、もって、画鋲取付具本体１０内の収納空間Ｓが蓋部１３によって開放されることとなる。しかして、このように画鋲取付具本体１０内の収納空間Ｓが開放されると、図１及び図２（ａ）に示すように、円形状の頭部Ｇａと、その裏面中心に突設された針部Ｇｂとで構成された金属性の画鋲Ｇを複数収納することができる。そして、図３（ｂ）に示すように、回転部材１２（回転部１２ｂ）を基軸として、矢印Ｐ２方向に蓋部１３を回動させれば、係合突起部１３ｂ１が板バネ状に形成されているから、当該係合突起部１３ｂ１の弾発力によって、係合突起部１３ｂ１と係合凹部１０ｃ１とが係合し、もって、画鋲取付具本体１０内の収納空間Ｓが蓋部１３によって閉止されることとなる。これにより、画鋲取付具本体１０内に複数の画鋲Ｇを収納し持ち運べることができると共に、画鋲Ｇを使用する際は、蓋部１３を回動させ、画鋲取付具本体１０内の収納空間Ｓを開放すれば、画鋲Ｇを取り出すことができるため、利便性が向上することとなる。
【００２０】
ところで、このように構成される画鋲取付具本体１０の頂部１０ａ内には、図１，図２（ａ），図３に示すように、厚板円形状の磁石１４が嵌め込まれており、この磁石１４の磁力により図４（ａ）に示すように、画鋲Ｇの頭部Ｇａが吸着することとなる。これにより、画鋲Ｇが磁石１４によって支持されることとなる。
【００２１】
一方、画鋲取付具本体１０の頂部１０ａ側に位置する他側周面１０ｄには、壁や掲示板あるいは黒板等の所定箇所Ｋ（図４参照）に固定された画鋲Ｇを取り外すことができる取り外し部材１５が設けられている。この取り外し部材１５は、図３に示すように、断面矩形状の基部１５ａと、その裏面中心から、画鋲取付具本体１０の頂部１０ａに向かって、一体的にＬ字形に突設されている取り外し片１５ｂとで構成されている。この基部１５ａは、図２（ａ）及び図３に示すように、画鋲取付具本体１０の頂部１０ａ側に位置する他側周面１０ｄに設けられている嵌合空間Ｓ１内に嵌め込まれて固定され、取り外し片１５ｂが、その嵌合空間Ｓ１外に突出し、画鋲取付具本体１０の頂部１０ａに向かって起立姿勢となるように上記基部１５ａから一体的に突設されている。これにより、図１及び図２（ａ）に示すように、取り外し部材１５の取り外し片１５ｂのみが画鋲取付具本体１０の外部に露出することとなる。
【００２２】
かくして、このように画鋲取付具本体１０の外部に露出している取り外し片１５ｂには、図１に示すように、Ｌ字形の水平部分１５ｂ１の先端が二股状になるようなスリット１５ｂ２が形成されている。そして、このスリット１５ｂ２内には、図４（ｂ）に示すように、針部Ｇｂを挿入することができ、もって、取り外し片１５ｂによって当該針部Ｇｂを挟み込むことができる。これにより、取り外し部材１５、すなわち、取り外し片１５ｂを用いて、壁や掲示板あるいは黒板等の所定箇所Ｋ（図４参照）に固定された画鋲Ｇを取り外すことができる。
【００２３】
他方、画鋲取付具本体１０の頂部１０ａ側に位置する一側周面１０ｃには、図１，図２（ａ），図３に示すように、複数の突条部１０ｅが所定間隔置きに一体的に突設されている。この複数の突条部１０ｅは、図４（ａ）に示すように、画鋲取付具本体１０を片手Ｈで把持した際、親指Ｈ１が接触することとなる。また、図４（ｂ）に示すように、画鋲取付具本体１０を片手Ｈで把持した際、複数の突条部１０ｅは、人差し指Ｈ２が接触することとなる。それゆえ、画鋲取付具１を使用する際、複数の突条部１０ｅによって親指Ｈ１又は人差し指Ｈ２が滑らないようにすることができる。
【００２４】
ここで、上記のように構成される画鋲取付具１の一使用例を、図４を用いて説明する。
【００２５】
まず、使用者は、図４（ａ）に示すように、画鋲Ｇの頭部Ｇａを画鋲取付具本体１０の頂部１０ａ内に嵌め込まれている磁石１４（図１，図２（ａ），図３参照）によって支持させ、その状態で、画鋲取付具本体１０を片手Ｈで把持する。その際、親指Ｈ１が複数の突条部１０ｅに接触することとなる。
【００２６】
次いで、使用者は、その状態で、壁や掲示板あるいは黒板等の所定箇所Ｋに向って（図４（ａ）に示す矢印Ｐ３方向）画鋲取付具本体１０を移動させる。これにより、仮想線で示すように、所定箇所Ｋに対して画鋲取付具本体１０を用いて画鋲Ｇを押圧することによって画鋲Ｇの針部Ｇｂが所定箇所Ｋ内に差し込まれることとなる。そして、画鋲Ｇの針部Ｇｂが所定箇所Ｋ内に差し込まれると、画鋲取付具本体１０を所定箇所Ｋと離れる方向（矢印Ｐ３方向とは逆方向）に移動させれば、画鋲Ｇの頭部Ｇａが上記磁石１４の磁力の吸着力から解放され、もって、画鋲Ｇが所定箇所Ｋに固定されることとなる。
【００２７】
しかして、本実施形態によれば、画鋲Ｇの頭部Ｇａを画鋲取付具本体１０の頂部１０ａ内に嵌め込まれている磁石１４によって支持させ、その状態の画鋲取付具本体１０を片手で把持し、壁や掲示板あるいは黒板等の所定箇所Ｋに移動させるだけで、画鋲Ｇの針部Ｇｂが所定箇所Ｋ内に差しこまれることとなるから、片手で簡単確実に画鋲の取り付け作業が可能となる。
【００２８】
また、その際、親指Ｈ１が複数の突条部１０ｅに接触することとなるから、所定箇所Ｋに対して画鋲取付具本体１０を用いて画鋲Ｇを押圧する際、親指Ｈ１が滑らないようにすることができる。
【００２９】
一方、壁や掲示板あるいは黒板等の所定箇所Ｋに固定された画鋲Ｇを取り外すにあたっては、図４（ｂ−１）に示すように、画鋲取付具本体１０を片手で把持し、取り外し部材１５の取り外し片１５ｂに形成されているスリット１５ｂ２（図１参照）にて画鋲Ｇの針部Ｇｂを挟み込むために、画鋲取付具本体１０を矢印Ｐ４方向に移動させる。なお、この際、複数の突条部１０ｅに人指し指Ｈ２が接触することとなる。
【００３０】
そして、画鋲Ｇの針部Ｇｂをスリット１５ｂ２（図１参照）にて挟み込んだ後、図４（ｂ−２）に示す矢印Ｐ５方向に画鋲取付具本体１０を移動させれば、仮想線で示すように、画鋲Ｇを所定箇所Ｋより取り外すことができる。また、取り外し部材１５は、磁石１４の近傍に設けられているから、画鋲Ｇを所定箇所Ｋより取り外し、画鋲Ｇの針部Ｇｂをスリット１５ｂ２（図１参照）にて挟み込んでいる状態で、画鋲取付具本体１０を矢印Ｐ６方向に移動させれば、その反動で、画鋲Ｇが矢印Ｐ６方向に移動しようとする。その際、磁石１４の磁力に画鋲Ｇの頭部Ｇａが引き寄せられ、もって、仮想線で示すように画鋲Ｇが矢印Ｐ７方向に移動し、図４（ｂ−３）に示すように、画鋲Ｇの頭部Ｇａが磁石１４に支持されることとなる。これにより、画鋲Ｇを所定箇所Ｋより取り外しても、磁石１４の磁力によって、画鋲Ｇが地面等に落下してしまう事態を低減させることができる。
【００３１】
また、その際、人差し指Ｈ２が複数の突条部１０ｅに接触しているから、所定箇所Ｋから画鋲Ｇを取り外す際、人差し指Ｈ２が滑らないようにすることができる。
【００３２】
なお、本実施形態において示した画鋲取付具本体１０は、半割状にしている例を示したが、それに限らず、一体的に形成しても良い。また、画鋲取付具本体１０の形状は、使用者が片手で把持できる形状であれば良く、本実施形態の形状に限定されるものではない。
【００３３】
一方、本実施形態において示した磁石１４の形状は、円形状のものを例示したが、それに限らず、四角形状でも、三角形状でも良く、画鋲Ｇの頭部Ｇａを支持できればどのような形状でも良い。
【００３４】
また、本実施形態において示した取り外し部材１５の形状は、所定箇所Ｋに固定されている画鋲Ｇを取り外すことができるものであればどのような形状でも良く、本実施形態の形状に限定されるものではない。
【００３５】
そして、本実施形態において示した蓋部１３は、画鋲取付具本体１０の底部１０ｂに設けるに限らず、例えば、蓋部１３をスライド窓に設計変更し、もって、そのスライド窓によって画鋲取付具本体１０内の収納空間Ｓを開閉できるようにしても良い。その際、スライド窓を設ける位置は、画鋲取付具本体１０のどの位置に設けても良い。
【００３６】
また、本実施形態において示した画鋲取付具本体１０の把持の仕方はあくまで一例であり、どのように把持しても良い。そのため、把持の仕方によって、複数の突条部１０ｅに接触する指も変わってくる。さらには、画鋲取付具本体１０の形状を設計変更すれば、それに合せて、複数の突条部１０ｅの位置も変更される可能性はある。複数の突条部１０ｅの役割は、画鋲取付具使用時の指の滑りを防止するためだからである。
【００３７】
かくして、本実施形態において示した画鋲取付具１はあくまで一例であり、実用新案登録請求の範囲に記載された本考案の要旨の範囲内において、種々の変形・変更が可能である。
【符号の説明】
【００３８】
１            画鋲取付具
１０          画鋲取付具本体
１０ａ        頂部
１０ｅ        突条部（滑り止め部）
１３          蓋部（蓋体）
１４          磁石（磁力体）
１５          取り外し部材（取り外し部）
Ｇ            画鋲
Ｇａ          頭部
Ｇｂ          針部
Ｈ            片手
Ｈ１          親指（指）
Ｈ２          人差し指（指）
Ｋ            所定箇所
Ｓ            収納空間
【図１】
0003196881.tif 000003
【図２】
0003196881.tif 000004
【図３】
0003196881.tif 000005
【図４】
0003196881.tif 000006